(57)【要約】【課題】凶悪な泥棒に対する対策の一環として扉面から突出したシリンダー錠のもぎ取りを防止する防犯用錠箱補強体及び錠箱を提供すること。【解決手段】炭素鋼を焼き入れ処理してケース状に形成し、かつ、一側壁にサムターン装着用嵌合孔を有し、他側壁にシリンダー装着用嵌合孔を有する防犯用錠箱補強体。【選択図】  図５
2004353222.tif 000002
【特許請求の範囲】
【請求項１】
炭素鋼を焼き入れ処理して少なくとも一端開口のケース状に形成し、かつ、一側壁にサムターン装着用嵌合孔を有すると共に、他側壁にシリンダー装着用嵌合孔を有する防犯用錠箱補強体。
【請求項２】
錠機構を内蔵する既存の錠箱本体２１と、この錠箱本体２１に外嵌合する錠箱補強体１とから成り、前記錠箱補強体１は、炭素鋼を焼き入れ処理して少なくとも一端開口のケース状に形成し、かつ、少なくとも一側壁に錠箱本体のサンターン嵌合孔と一致するサムターン装着用嵌合孔を有し、一方、他側壁に錠箱本体のシリンダー嵌合孔と一致するシリンダー装着用嵌合孔を有することを特徴とする錠箱。
【請求項３】
錠機構を内蔵する既存の錠箱本体２１Ａと、この錠箱本体２１Ａの少なくとも扉の外壁面側に位置する一側壁に固定された錠箱補強体１Ａとから成り、前記錠箱補強体１Ａは、炭素鋼を焼き入れ処理して板状に形成され、かつ、少なくとも錠箱本体２１Ａのシリンダー嵌合孔９Ａと一致するシリンダー装着用嵌合孔９を有することを特徴とする錠箱。
【請求項４】
錠機構を内蔵する既存の錠箱本体２１Ｂと、この錠箱本体２１Ｂの少なくとも扉の外壁面側に位置する一側壁に固定された錠箱補強体１Ｂとから成り、前記錠箱補強体１Ｂは、炭素鋼を焼き入れ処理して端面Ｌ型状に形成され、かつ、少なくとも錠箱本体２１Ｂのシリンダー嵌合孔９Ａと一致するシリンダー装着用嵌合孔９を有することを特徴とする錠箱。
【請求項５】
錠機構を内蔵する既存の錠箱本体２１Ｃと、この錠箱本体２１Ｃの少なくとも扉の外壁面側に位置する一側壁に固定された錠箱補強体１Ｃとから成り、前記錠箱補強体１Ｃは、炭素鋼を焼き入れ処理して端面コ字型状に形成され、かつ、少なくとも錠箱本体２１Ｃのシリンダー嵌合孔９Ａと一致するシリンダー装着用嵌合孔９を有することを特徴とする錠箱。
【発明の詳細な説明】
【０００１】
【発明の属する技術分野】
本発明は、扉面から突出したシリンダー錠のもぎ取りを防止する防犯用錠箱補強体及び錠箱に関する。
【０００２】
【従来の技術】
普通一般にシリンダー錠は、化粧リング並びにシリンダー筒（固定筒）に内装され、扉の外壁面から他端部（突出端部）が突出するように錠箱にシリンダー装着用嵌合孔を介して取り付けられている。
【０００３】
前記化粧リングは、板金加工により製作した薄板素材のすい台状の筒体で、かつ、中空部を有していることから、泥棒にとっては七つ道具の挟み部を有するプライヤー、バール、ドリルなどの工具を用いて化粧リングを変形させることが容易である。
【０００４】
したがって、例えば、泥棒が挟み部を有するプライヤーを用い、化粧リングとともに、固定筒及びシリンダー錠を無理やり「もぎ取る」ことが可能になる。
【０００５】
そこで、出願人は、化粧リングをこじあけ、外周壁が露出したシリンダー錠に大きな外力を加えることによってシリンダー錠がもぎ取られないように、化粧リング並びに固定筒を改良した錠構造を提案した（特開２００３−１２００８３公報）。また、その後にも化粧リングをこじあけ、シリンダー錠をもぎ取られないようにするための発明を提案した。
【０００６】
しかしながら、シリンダー錠の保護構造の対策のみでは必ずしも万全ではなく、凶悪な泥棒は、化粧リングの周縁の扉の外壁面に超硬ドリル、超硬ホールソーなどの切削工具を用いて扉の壁面に穴を開け、次いで錠箱のシリンダー装着用の嵌合孔の周縁を破壊し、しいてはシリンダー錠（以下、「シリンダー」という。）そのものを「もぎ取る」ケースもある。
【０００７】
【発明が解決しようとする課題】
本発明の第１の目的は、泥棒が超硬ドリル、超硬ホールソーを用いて扉の外壁面に穴を開けて錠箱を攻撃してきた場合にも防御し得る防犯用錠箱補強体及び錠箱を提供することである。これにより、「シリンダーのもぎ取り」を防御することができる。第２の目的は、製造の段階または現場の後付にて、第１の目的を達成することができる錠箱を得ることである。第３の目的は、既存の錠箱を改良することなく、そのまま用いることができることである。
【０００８】
【課題を解決するための手段】
本発明の防犯用錠箱補強体は、炭素鋼を焼き入れ処理して少なくとも一端開口のケース状に形成し、かつ、一側壁にサムターン装着用嵌合孔を有すると共に、他側壁にシリンダー装着用嵌合孔を有することを特徴とする。
【０００９】
また、本発明の錠箱は、錠機構を内蔵する既存の錠箱本体２１と、この錠箱本体２１に外嵌合する錠箱補強体１とから成り、前記錠箱補強体１は、炭素鋼を焼き入れ処理して少なくとも一端開口のケース状に形成し、かつ、少なくとも一側壁に錠箱本体のサンターン嵌合孔と一致するサムターン装着用嵌合孔を有し、一方、他側壁に錠箱本体のシリンダー嵌合孔と一致するシリンダー装着用嵌合孔を有することを特徴とする。
【００１０】
上記錠箱は、一端開口または両端開口のケース状に形成されているが、本発明の主たる目的を達成するために、  他の実施例では、錠箱補強体１Ａを、炭素鋼を焼き入れ処理して板状或いは端面Ｌ型状、或いはまた端面コ字型状に形成されている。
【００１１】
【発明の実施の形態】
まず図１乃至図４を参照にして防犯用錠箱補強体１（これを「第１実施例」とする。）について説明する。この錠箱補強体１は、炭素鋼を焼き入れ処理してケース状に形成されている。錠箱補強体１の材質は、例えば「Ｓ５５Ｃ」である。ここで記号「Ｓ」はｓｔｅｅｌのＳ、記号「Ｃ」は炭素のＣ、「Ｓ」と「Ｃ」の間の数値５５は、炭素Ｃの含有率が０．ナンパーセントであるかを意味する。したがって、「Ｓ５５Ｃ」は、炭素Ｃが０．５５パーセント入っている炭素鋼を意味する。
【００１２】
錠箱補強体１の各部に符号を付す。図１を基準にすると、２は左側壁、３は右側壁、４は上壁、５は底壁、６は開口である。前記開口６は既存の錠箱を「すっぽっと」受け入れることができる大きさに形成されている。
【００１３】
そこで、図２乃至図４を参照にすると、７は後壁、８は左側壁（一側壁）２の上部に形成されたサムターン装着用嵌合孔、９は右側壁（他側壁）３の上部に形成されたシリンダー装着用嵌合孔である。
【００１４】
サムターン装着用嵌合孔８とシリンダー装着用嵌合孔９とは、同一形状であり、しかも、内部空間１３を介して対向状態に連通している。したがって、錠箱の錠機構が左右勝手の場合には、前記嵌合孔８．９のいずれかにサムターンまたはシリンダーを装着するかは任意に選択可能である。ここでは説明の便宜上、左側壁２の嵌合孔８をサムターン装着用嵌合孔８として説明する。
【００１５】
１０は左側壁（一側壁）２の下部に形成された外側又は内側ハンドル用の装着孔、１１は右側壁（他側壁）３の下部に形成された内側又は外側ハンドル用の装着孔である。内外のハンドル用装着孔１０．１１も同一形状でありかつ内部空間１３を介して対向状態に連通している。錠箱補強体１の左右の側壁２．３の適宜箇所には、カシメ用又は／及び固着具用の小孔或いは切欠部１２が複数個形成されている。なお、図示しない錠箱は、内外のハンドルが必要でないタイプも存在するので、前記内外ハンドル用の装着孔１０．１１は本発明の本質的部分ではない。
【００１６】
次に図５及び図６を参照にして防犯用錠箱補強体１をそのまま含む錠箱Ｘ（これを「第２実施例」とする。）について説明する。この錠箱Ｘは、錠機構を内蔵する既存の錠箱本体２１と、この錠箱本体２１に外嵌合する錠箱補強体１とから成り、前記錠箱補強体１は、炭素鋼を焼き入れ処理してカセットケース状に形成され、かつ、一側壁に錠箱本体２１のサンターン嵌合孔８Ａと一致するサムターン装着用嵌合孔８を有し、一方、他側壁に錠箱本体２１のシリンダー嵌合孔９Ａと一致するシリンダー装着用嵌合孔９を有する。ここで、便宜上、錠箱本体２１の各側壁に錠箱補強体１の各側壁に対応した符号を付する。
【００１７】
２Ａは錠箱補強体１の左側壁（一側壁）２に対応する左側壁、３Ａは錠箱補強体１の右側壁（他側壁）３に対応する右側壁、４Ａは錠箱補強体１の上壁４に対応する上壁、５Ａは錠箱補強体１の底壁５に対応する底壁、７Ａは錠箱補強体１の後壁に対応する後壁である。なお、２２はフロント、２３はデッドボルト、２４はラッチ、２５は装着孔１０．１１に対応する内外ハンドル用の取り付け孔、２６は錠箱補強体１の固着具用小孔１２に符合する固着具用孔や切欠である。
【００１８】
次に図７乃至図１０を参照にして少なくとも一側壁に防犯用錠箱補強体１Ａを備えた錠箱Ｘ１（これを「第３実施例」とする。）について説明する。なお、以下の各実施例は前記第２実施例の錠箱Ｘと技術的思想が同一なので、同一の部分には同一または同様の符号を付して重複する説明を省略する。
【００１９】
この錠箱Ｘ１は、第２実施例の錠箱Ｘと同様に錠機構を内蔵する既存の錠箱本体２１Ａと、この錠箱本体２１Ａの左右側壁２Ａ．３Ａにそれぞれ固定された二枚（分割型）の錠箱補強体１Ａ．１Ａとから成り、前記錠箱補強体１Ａ．１Ａは、炭素鋼を焼き入れ処理して板状に形成され、かつ、一方の錠箱補強体１Ａは、錠箱本体２１Ａのサンターン嵌合孔８Ａと一致するサムターン装着用嵌合孔８を有し、一方、他方の錠箱補強体１Ａは錠箱本体２１のシリンダー嵌合孔９Ａと一致するシリンダー装着用嵌合孔９を有する。
【００２０】
左右の錠箱補強体１Ａ．１Ａは、錠箱Ｘ１の左右勝手を考慮すると、左右側壁２Ａ．３Ａにそれぞれ固定さていることが望ましいが、発明の主たる目的との関係では、少なくとも扉の外壁面側に位置する一側壁に固定されていれば良い。
【００２１】
しかして、二枚の錠箱補強体１Ａ．１Ａは、予め（製造段階）又は後付（現場）にてビス、ネジ等の固定手段を介して錠箱本体２１Ａの左右側壁２Ａ．３Ａにそれぞれ固定する必要があるので、本実施例では、カシメ用の孔２８が単数または複数個、ネジ用の孔２９が単数または／及び複数個適宜に設けられている。
【００２２】
ここで、図８を参照にして錠箱本体２１Ａの左右側壁２Ａ．３Ａに対する錠箱補強体１Ａの固定例を説明する。錠箱本体２１Ａは、ケース身１ａと、ケース蓋１ｂとから成る。ケース身１ａとケース蓋１ｂの内壁面には、当業者から「ダルマ受け、サムターン受け」と称されている取り付け座３１．３１がそれぞれ固定され或いは形成されている。
【００２３】
また前記ケース身１ａの内壁面には、メネジを有する支持柱３２が複数個設けられている。そこで、ケース身１ａの外壁面（左側壁）２Ａに添設された錠箱補強体１Ａは、主として第１の固定手段（ビス）３３をカシメルことにより固定され、一方、ケース蓋１ｂの外壁面（右側壁）３Ａに添設された錠箱補強体１Ａは、主として第２の固定手段（オネジ）３４を前記支持柱３２に螺合により固定されている。
【００２４】
次に図１１乃至図１４を参照にして少なくとも一側壁に防犯用錠箱補強体１Ｂを備えた錠箱Ｘ２（これを「第４実施例」とする。）について説明する。この第４実施例の錠箱Ｘ２は、第３実施例の錠箱補強体１Ａが板状であることから、より強靭にするために端面Ｌ型に形成した点に特徴がある。したがって、錠箱Ｘ１の変形例と言える。錠箱Ｘ２のその他は錠箱Ｘ１と同一なので、固定手段など重複する説明は割愛する。また便宜上、同一または同様の符号を付する。
【００２５】
第４実施例では、左右一対の端面Ｌ型錠箱補強体１Ｂ．１Ｂは、その一つはケース身１ａの外壁面（左側壁）２Ａに固定的に添設され（図１３）、もう一つはケース蓋１ｂの外壁面（右側壁）３Ａに固定的に添設されている（図１４）。
【００２６】
この錠箱Ｘ２も錠箱Ｘ１と同様に錠機構を内蔵する既存の錠箱本体２１Ｂと、この錠箱本体２１Ｂの少なくとも扉の外壁面側に位置する一側壁に固定された錠箱補強体１Ｂとから成り、前記錠箱補強体１Ｂは、炭素鋼を焼き入れ処理して端面Ｌ型状に形成され、かつ、錠箱本体２１Ｂのシリンダー嵌合孔９Ａと一致するシリンダー装着用嵌合孔９を有する。
【００２７】
次に図１５及び図１６を参照にして両側壁に防犯用錠箱補強体１Ｃを備えた錠箱Ｘ３（これを「第５実施例」とする。）について説明する。この第５実施例の錠箱Ｘ３は、第４実施例の錠箱補強体１Ａが端面Ｌ型状であることから、より一層強靭にするために端面コ字型に形成した点に特徴がある。
【００２８】
すなわち、錠箱Ｘ３も錠箱Ｘ１または錠箱Ｘ２と同様に錠機構を内蔵する既存の錠箱本体２１Ｃと、この錠箱本体２１Ｃの内外の側壁に嵌合固定された錠箱補強体１Ｃとから成り、前記錠箱補強体１Ｃは、炭素鋼を焼き入れ処理して端面コ字型状に形成され、かつ、錠箱本体２１Ｃのシリンダー嵌合孔９Ａと一致するシリンダー装着用嵌合孔９を有する。
【００２９】
【実施例】
防犯用錠箱補強体１は、一端開口のケース状（例えば録画済み磁気テープの収納ケース）に形成されているが、両端開口の収納ケースであっても良い。また、端面Ｌ型状及び端面コ字型状の錠箱補強体１Ｂ、１Ｃは、錠箱本体２１Ｂ，２１Ｃの上部、側部、下部より被せるようにそれぞれ形成することができる。したがって、設計如何によっては、平面視端面Ｌ型状、或いは端面コ字型状、背面視端面Ｌ型状或いは端面コ字型状などの形態に成る。
【００３０】
また、錠箱補強体１、１Ａ，１Ｂ，１Ｃは、製造段階で既存の錠箱にカシメ固定することができるのみならず、現場で錠箱にネジによる固定手段を介して後付することもできる。
【００３１】
さらに、錠箱補強体１、１Ａ，１Ｂ，１Ｃの材質は、例えば「Ｓ５５Ｃ」であるが、これに限定するものではない。要は泥棒が用いる超硬ドリル、超硬ホールソー攻撃を防御できるような焼き入れ素材であれば良い。
【００３２】
【発明の効果】
以上の説明から明らかなように、本発明にあっては、次に列挙するような効果がある。
（１）近年の凶悪な泥棒に対する対策の一環として扉面から突出したシリンダー錠のもぎ取りを防止する防犯用錠箱補強体及び錠箱することができる。特に、泥棒が超硬ドリル、超硬ホールソーを用いて扉の外壁面に穴を開けて錠箱を攻撃してきた場合にも防御し得る。
（２）製造の段階または現場の後付により、第１の目的を達成することができる錠箱を得ることができる。
（３）既存の錠箱を改良することなく、そのまま用いることができる。
【図面の簡単な説明】
図１乃至図４は本発明の第１実施例を示す各説明図、図５及び図６は本発明の第２実施例を示す各説明図、図７乃至図１０は本発明の第３実施例を示す各説明図、図１１乃至図１４は本発明の第４実施例を示す各説明図、図１５及び図１６は本発明の第５実施例を示す各説明図である。
【図１】第１実施例の正面からの説明図。
【図２】右側面図。
【図３】図２の３−３線断面図。
【図４】図２の４−４線断面図。
【図５】第２実施例（錠箱Ｘ）の斜視図。
【図６】第２実施例（錠箱Ｘ）の斜視図。
【図７】第３実施例（錠箱Ｘ１）の斜視図。
【図８】図７の８−８線に基づく要部の概略端面説明図
【図９】平面からの説明図。
【図１０】要部（錠箱補強体１Ａ）の斜視図。
【図１１】第４実施例（錠箱Ｘ２）の斜視図。
【図１２】要部（錠箱補強体１Ｂ）の斜視図。
【図１３】ケース身の説明図。
【図１４】ケース蓋の説明図。
【図１５】第４実施例（錠箱Ｘ３）の斜視図。
【図１６】図８と同様の概略断面説明図。
【符号の説明】
１、１Ａ、１Ｂ、１Ｃ…錠箱補強体、２…左側壁、３…右側壁、４…上壁、５…底壁、６…開口、７…後壁、８…サムターン装着用嵌合孔、９…シリンダー装着用嵌合孔、９Ａ…シリンダー嵌合孔、１０、１１…ハンドル用の装着孔、１２…小孔、Ｘ〜Ｘ３…錠箱、１ａ…ケース身，１ｂ…ケース蓋、１、１Ａ，１Ｂ，１Ｃ…錠箱補強体、２１、２１Ａ、２１Ｂ、２１Ｃ…錠箱本体、２８、２９…固定手段用の孔、３３、３４…固定手段。
【図１】
2004353222.tif 000003
【図２】
2004353222.tif 000004
【図３】
2004353222.tif 000005
【図４】
2004353222.tif 000006
【図５】
2004353222.tif 000007
【図６】
2004353222.tif 000008
【図７】
2004353222.tif 000009
【図８】
2004353222.tif 000010
【図９】
2004353222.tif 000011
【図１０】
2004353222.tif 000012
【図１１】
2004353222.tif 000013
【図１２】
2004353222.tif 000014
【図１３】
2004353222.tif 000015
【図１４】
2004353222.tif 000016
【図１５】
2004353222.tif 000017
【図１６】
2004353222.tif 000018